(57)【要約】【課題】犬や猫等のペットの顎部を受ける顎載せ部を有するペット用枕において、その高さを好みに応じて変えることを可能とする。【解決手段】平板状を呈する枕本体１の裏面に、少なくとも一対の係止具２ａ，２ｂが設けられ、この係止具２ａ，２ｂが係脱されることにより、枕本体１が平板状状態と二つ折り状態との二形態間で変形可能とされている。これにより、好みに応じて枕本体１を平板状状態や二つ折り状態として、枕本体１の高さを調整することができる。【選択図】図３
2009136218.tif 000002
【特許請求の範囲】
【請求項１】
ペットの顎部を受ける顎載せ部を有するペット用枕であって、
平板状を呈する枕本体の裏面に、少なくとも一対の係止具が設けられ、この係止具が係脱されることにより、前記枕本体が平板状状態と二つ折り状態との二形態間で変形可能とされたことを特徴とするペット用枕。
【請求項２】
請求項１に記載のペット用枕において、
前記枕本体は、その全体形状が任意の動物の形態に模されており、該動物の胴体部分が前記二形態間で変形可能とされたことを特徴とするペット用枕。
【請求項３】
請求項１又は２に記載のペット用枕において、
前記枕本体は、前記係止具により二つ折り状態とされた際、その内部にペット用のおもちゃを隠せるように構成されたことを特徴とするペット用枕。
【発明の詳細な説明】
【技術分野】
【０００１】
本発明は、犬や猫等のペットの顎部を受ける顎載せ部を有するペット用枕に関する。
【背景技術】
【０００２】
犬や猫等のペットは、頭部を若干持ち上げた状態で寝そべることが多く、具体的には、床に置かれたクッション等の上に顎を載せて寝そべることが多い。
【０００３】
このようなペットの習性に着目して、近年では、ペットが顎を載せるためのペット用枕（例えば、特許文献１）が開発されている。
【特許文献１】実登第３１３２４２６号公報
【発明の開示】
【発明が解決しようとする課題】
【０００４】
ところで、寝そべっているペットが頭部を持ち上げる高さは、ペットの体格や好み等に応じて様々である。
【０００５】
しかしながら、特許文献１に記載のペット用枕は、その高さが一定の高さに固定されており、高さを変えることができないため、枕の高さがペットに合わない場合には、ペットに合った高さを有する別のペット用枕を用意しなければならなかった。
【０００６】
本発明は、このような状況に鑑みてなされたものであって、好みに応じて高さを調整することができるペット用枕を提供することを目的とする。
【課題を解決するための手段】
【０００７】
本発明に係るペット用枕は、ペットの顎部を受ける顎載せ部を有するペット用枕であって、平板状を呈する枕本体の裏面に、少なくとも一対の係止具が設けられ、この係止具が係脱されることにより、前記枕本体が平板状状態と二つ折り状態との二形態間で変形可能とされたことを特徴とする。
【０００８】
この構成により、平板状状態にある枕本体において、その高さが低いと感じる場合には、係止具を係止して二つ折り状態とすることで、枕本体の高さを高くすることできる。つまり、好みに応じて枕本体を平板状状態や二つ折り状態として、枕本体の高さを調整することができる。
【０００９】
また、本発明に係るペット用枕において、前記枕本体は、その全体形状が任意の動物の形態に模されており、該動物の胴体部分が前記二形態間で変形可能とされていてもよい。
【００１０】
この構成により、ペットは動物の形態が模されたペット用枕に顎を載せて寝そべることとなるから、飼い主はその光景のかわいらしさを楽しむことができる。
【００１１】
また、本発明に係るペット用枕において、前記枕本体は、前記係止具により二つ折り状態とされた際、その内部にペット用のおもちゃを隠せるように構成されてもよい。
【００１２】
この構成により、枕本体にペット用のおもちゃが隠されると、ペットは、そのおもちゃを取ろうと、枕本体を転がしたり、引っかいたりして試行錯誤を重ねる。これにより、ペットの知能を育成することができる。つまり、ペット用の枕としてだけでなく、ペットの知育用具等の玩具としても用いることができるペット用枕を提供することができる。
【発明の効果】
【００１３】
本発明に係るペット用枕は、枕本体が平板状状態と二つ折り状態との二形態間で変形可能に構成されているので、好みに応じて枕本体を平板状状態や二つ折り状態として、枕本体の高さを調整することができる。
【発明を実施するための最良の形態】
【００１４】
以下、本発明の実施の形態について、図１〜４を参照して説明する。
【００１５】
図１は、本発明の実施の形態に係るペット用枕の概略構成を説明するための図であり、平板状状態にある枕本体にペットが顎を載せている状態を示す説明図である。
【００１６】
また、図２及び図３はそれぞれ、本発明の実施の形態に係るペット用枕の概略構成を説明するための上面図及び底面図である。
【００１７】
また、図４は、本発明の実施の形態に係るペット用枕の概略構成を説明するための図であり、二つ折り状態にある枕本体にペットが顎を載せている状態を示す説明図である。  
【００１８】
本発明の実施の形態に係るペット用枕は、ペットの顎部を受ける顎載せ部１２を有する構成とされている。
【００１９】
また、本実施の形態に係るペット用枕において、枕本体１の全体形状は、猫の形態に模されており、猫の胴体部分１３にあたる領域に顎載せ部１２を有している。
【００２０】
また、枕本体１は、外側が柔軟性のある素材で作成されており、その柔軟性のある素材で包まれた中身に、弾力性のある素材が詰められた構成とされている。
【００２１】
柔軟性のある素材としては、例えば、ポリエステル、アクリル、ナイロンその他の化学繊維や、木綿、毛その他の天然動植物繊維からなる、ボア、モヘヤ、フランネル、フリース、フェルト、ベルベット、天竺、帆布、フェイクファー等の起毛繊維材、及びこれらに類する質感の織布、不織布、合成又は天然皮革、さらには繊維風の質感を模した樹脂製シート材や紙製シート材等を使用することができる。
【００２２】
また、弾力性のある素材としては、通常のクッションや枕の詰め物として使用されるものをいずれも使用することができ、例えば、コットン、ウレタン、蕎麦殻等を使用することができる。
【００２３】
また、猫の形態を模した枕本体１の平板状を呈する裏面において、猫の胴体部分１３にあたる箇所の一端部１３１には、係止具として、スナップのボールサイド２ａが２つ取り付けられている。そして、この端部１３１と対向する他端部１３２には、ボールサイド２ａと対向する位置に、ボールサイド２ａとで対をなすスナップのソケットサイド２ｂが２つ取り付けられている。
【００２４】
このため、猫の形態を模した枕本体１の猫の胴体部分１３は、ボールサイド２ａがソケットサイド２ｂへ係止されることにより、二つ折り状態とされ、その係止が外されることにより、平板状状態とされる。
【００２５】
すなわち、本実施の形態に係るペット用枕は、平板状を呈する枕本体１の裏面に設けられた係止具２ａ，２ｂが係脱されることにより、枕本体１が平板状状態と二つ折り状態との二形態間で変形可能とされており、例えば、平板状状態にある枕本体１にペットＰの顎を載せてみて、枕本体１の高さＨが低いと感じる場合には、係止具２ａ，２ｂを係止して枕本体１を二つ折り状態とすることで、枕本体１の高さＨを高くすることができる。換言すると、本実施の形態に係るペット用枕は、好みに応じて枕本体１を平板状状態や二つ折り状態として、枕本体１の高さＨを調整することが可能な構成とされている。
【００２６】
また、枕本体１は、係止具２ａ，２ｂにより二つ折り状態とされた際、その内部にペット用のおもちゃＴを隠せるように構成されている。ここで、ペット用のおもちゃＴには、ペットが口に銜えたり、転がしたり等して遊ぶためのおもちゃだけでなく、ビーフジャーキーやガム等のペット用スナック、嗜好品及びその他のペットに興味を持たせる物が全て含まれるものとする。
【００２７】
このようにして、二つ折り状態とされた枕本体１の内部にペット用のおもちゃＴを隠すと、ペットＰは、そのおもちゃＴを取ろうと、枕本体１を転がしたり、引っかいたりして試行錯誤を重ねる。これにより、ペットＰの知能が育成されるので、本実施の形態に係るペット用枕は、枕としてだけでなく、ペットＰの知育用具等の玩具としても使用できる。
【００２８】
以上、本発明の実施の形態について説明したが、本発明に係るペット用枕は、猫の形態に限定されるものではなく、例えば、犬やうさぎ等の各種動物の形態の他、四角や円等の各種形態に形成されたものであってよく、その形態は特に限定されるものではない。
【００２９】
また、本発明において使用される係止具は、スナップに限定されず、例えば、ボタン、ファスナー、面ファスナー等の係脱することが可能な各種留め具であってよい。
【００３０】
また、係止具の個数は、特に限定されるものではなく、ペット用枕の大きさや、係止具の種類や大きさ等に応じて適宜調整されてよい。
【００３１】
また、本発明に係るペット用枕は、犬用に限定されるものではなく、猫やうさぎ等のペットとして飼われる各種動物用の枕として使用されてよい。
【図面の簡単な説明】
【００３２】
【図１】本発明の実施の形態に係るペット用枕の概略構成を説明するための図であり、平板状状態にある枕本体にペットが顎を載せている状態を示す説明図である。
【図２】本発明の実施の形態に係るペット用枕の概略構成を説明するための上面図である。
【図３】本発明の実施の形態に係るペット用枕の概略構成を説明するための底面図である。
【図４】本発明の実施の形態に係るペット用枕の概略構成を説明するための図であり、二つ折り状態にある枕本体にペットが顎を載せている状態を示す説明図である。
【符号の説明】
【００３３】
１  枕本体
１２  顎載せ部
１３  胴体部分
１３１、１３２  端部
２ａ  スナップのボールサイド（係止具）
２ｂ  スナップのソケットサイド（係止具）
Ｐ  ペット
Ｔ  ペット用のおもちゃ
Ｈ  枕本体の高さ
【図１】
2009136218.tif 000003
【図２】
2009136218.tif 000004
【図３】
2009136218.tif 000005
【図４】
2009136218.tif 000006